(57)【特許請求の範囲】
【請求項１】
上面および下面を有する第１支持要素であって、前記上面には凹部である第１ブリッジレセプタクルが形成され、前記下面には凹部である第２ブリッジレセプタクルが形成される、第１支持要素と、
第１側方ブリッジおよび第２側方ブリッジを有する第２支持要素であって、前記第１側方ブリッジは、前記第１ブリッジレセプタクルに挿入可能に、先端を側方に張り出して前記第２支持要素の上面に形成され、前記第２側方ブリッジは、前記第２ブリッジレセプタクルに挿入可能に、先端を側方に張り出して前記第２支持要素の下面に形成され、第２支持要素と
を備える、電子機能モジュールを保持するための支持要素配列。
【請求項２】
前記第１支持要素および前記第２支持要素は、支持要素の自立した配列、特に、自立した装着可能な配列を形成する、および／または、前記第１支持要素および前記第２支持要素は、支持レール、特に、トップハットレールにスライド可能に固定される、請求項１に記載の支持要素配列。
【請求項３】
前記第１支持要素は、ある支持要素幅を有し、前記第１ブリッジレセプタクルおよび前記第２ブリッジレセプタクルは、前記支持要素幅より小さい凹部幅を有する、請求項１または２に記載の支持要素配列。
【請求項４】
前記第１側方ブリッジおよび前記第２側方ブリッジは、それぞれ、前記第１ブリッジレセプタクルおよび前記第２ブリッジレセプタクルに等しい幅を有する、請求項３に記載の支持要素配列。
【請求項５】
前記第１支持要素の前記上面には、第１側方ブリッジが形成され、前記第１側方ブリッジは、更なる支持要素の第１ブリッジレセプタクルに挿入可能であり、前記第１支持要素の前記下面には、第２側方ブリッジが形成され、前記第２側方ブリッジは、前記更なる支持要素の第２ブリッジレセプタクルに挿入可能である、請求項１から４の何れか一項に記載の支持要素配列。
【請求項６】
前記第２支持要素の前記上面には、第３支持要素の第１側方ブリッジを受け入れるための第１ブリッジレセプタクルが形成され、前記第２支持要素の前記下面には、前記第３支持要素の第２側方ブリッジを受け入れるための第２ブリッジレセプタクルが形成される、請求項１から５の何れか一項に記載の支持要素配列。
【請求項７】
第３ブリッジレセプタクルは、前記第１支持要素、前記第２支持要素、第３支持要素または更なる支持要素の前記下面にそれぞれ形成され、前記第１支持要素、前記第２支持要素または前記第３支持要素はそれぞれ、第３側方ブリッジを有し、かつ、前記第１支持要素の前記第３側方ブリッジは、前記更なる支持要素の前記第３ブリッジレセプタクルに挿入可能であり、前記第２支持要素の前記第３側方ブリッジは、前記第１支持要素の前記第３ブリッジレセプタクルに挿入可能であり、また、前記第３支持要素の前記第３側方ブリッジは、前記第２支持要素の前記第３ブリッジレセプタクルに挿入可能である、請求項１から６の何れか一項に記載の支持要素配列。
【請求項８】
前記第１側方ブリッジおよび前記第１ブリッジレセプタクル、前記第２側方ブリッジおよび前記第２ブリッジレセプタクル、または、前記第３側方ブリッジおよび前記第３ブリッジレセプタクルは、前記第１支持要素、前記第２支持要素および前記第３支持要素が並列に配置された場合に直線状に並ぶように前記第１支持要素、前記第２支持要素および前記第３支持要素のそれぞれに設けられる、請求項７に記載の支持要素配列。
【請求項９】
前記第１側方ブリッジ、前記第２側方ブリッジまたは前記第３側方ブリッジは、ラッチ接続により、それぞれ対応する前記第１ブリッジレセプタクル、前記第２ブリッジレセプタクルまたは前記第３ブリッジレセプタクルにそれぞれ固定可能である、請求項７または８に記載の支持要素配列。
【請求項１０】
前記第１側方ブリッジ、前記第２側方ブリッジまたは前記第３側方ブリッジはそれぞれ、固定要素を受け入れるための取り付け穴を含み、前記第１ブリッジレセプタクル、前記第２ブリッジレセプタクルまたは前記第３ブリッジレセプタクルはそれぞれ、前記固定要素を受け入れるための更なる取り付け穴を含む、請求項７または８に記載の支持要素配列。
【請求項１１】
前記固定要素は、前記第１支持要素、前記第２支持要素、前記第３支持要素または前記更なる支持要素を接続するためのネジ、または、電子機能モジュールを前記第１支持要素、前記第２支持要素、前記第３支持要素または前記更なる支持要素に固定するための、前記電子機能モジュールのボルトを含む、請求項１０に記載の支持要素配列。
【請求項１２】
前記第１支持要素、前記第２支持要素、前記第３支持要素または前記更なる支持要素の上面には、第１電気ケーブルを受け入れるための第１ケーブルレセプタクル、または、第２電気ケーブルを受け入れるための第２ケーブルレセプタクルが形成される、請求項７から１１の何れか一項に記載の支持要素配列。
【請求項１３】
少なくとも１つの第１支持要素および第２支持要素の、請求項１から１２の何れか一項に記載の支持要素配列と、
前記少なくとも１つの第１支持要素および第２支持要素の上面にある第１ケーブルレセプタクルに受け入れられる第１電気ケーブルと、
前記少なくとも１つの第１支持要素および第２支持要素の上面にある第２ケーブルレセプタクルに受け入れられる第２電気ケーブルと、
前記第１支持要素および前記第２支持要素に取り付けるための少なくとも１つの第１電子機能モジュールであって、前記第１電気ケーブルおよび前記第２電気ケーブルと電気的に接続される、少なくとも１つの第１電子機能モジュールと
を備える部品組立システム。
【請求項１４】
前記第１電子機能モジュールの下面には、前記第１電子機能モジュールを前記第１支持要素および前記第２支持要素に装着するための固定要素がある、請求項１３に記載の部品組立システム。
【請求項１５】
前記第１電気ケーブルおよび前記第２電気ケーブルはそれぞれ、絶縁層と少なくとも１つの導電体トラックを有し、前記第１電子機能モジュールは、それぞれ対応する前記絶縁層を貫通し、かつ、それぞれ対応する前記導電体トラックと電気的に接触することで前記第１電気ケーブルおよび前記第２電気ケーブルへ電気伝導的に接続される、請求項１３または１４に記載の部品組立システム。
【発明の詳細な説明】
【技術分野】
【０００１】
本発明は支持要素配列に関する。
【背景技術】
【０００２】
電子的な用途では、多数の異なる機能を１つの場所で実装しなければならないことが多いため、モジュラー電子システムが使用される。モジュラー電子システムを設置するとき、機械的かつ電気的に相互接続されている様々な電子機能モジュールが使用される。電子機能モジュールの電気的接続には、特にプラグコンタクト、電気ケーブルおよび／またはコンタクトブリッジが含まれる。電子機能モジュールの機械的接続によって、電子機能モジュールの有効かつ直接的な接続が保証される。複数の異なる電子機能モジュールを有するシステムでは、個々の電子機能モジュールと比べて、非常に高価で技術的に複雑な機械的接続および電気的接続を使用しなければならないことが多い。
【発明の概要】
【０００３】
本発明の基礎となる目的は、複数の異なる電子機能モジュール間の有効な機械的接続および電気的接続を、ほとんど手間取ることなく保証することである。
【０００４】
この目的は、独立請求項に記載の特徴を有するモジュールによって実現される。本発明の有利な実施形態が、図、明細書および従属請求項の主題である。
【０００５】
本発明の第１態様によれば、この目的は、電子機能モジュールを取り付けるための支持要素配列によって実現される。当該支持要素配列は、上面および下面を有する第１支持要素であって、上面には第１ブリッジレセプタクルが形成され、下面には第２ブリッジレセプタクルが形成される、第１支持要素と、第１側方ブリッジおよび第２側方ブリッジを有する第２支持要素であって、第１側方ブリッジは、第１ブリッジレセプタクルに挿入可能であり、第２側方ブリッジは、第２ブリッジレセプタクルに挿入可能である、第２支持要素とを含む。
【０００６】
これは、第１支持要素と第２支持要素との機械的接続を特に有効にすること、および、当該機械的接続を容易に提供することが可能になるという利点をもたらす。第１支持要素と第２支持要素との有効な機械的接続によって、それぞれ対応する支持要素が保持する電子機能モジュールを有効かつ機械的に相互接続することもできる。
【０００７】
従来の電子デバイスでは、高性能の、例えば、ＩＰ４４よりも高い性能の電子機能モジュールが、機械またはプラントへ個々に取り付けられる。幾つかの電子機能モジュールが互いに近接して配置されている場合は、例えば対応する取り付け板をこれらの電子機能モジュールに設置して、ユニットを形成する。周辺デバイスに対する電子機能モジュールの電気的接続は、例えば電気プラグコネクタによって行われる。
【０００８】
本発明に係る配列において、２つの支持要素は、２つの側方ブリッジをそれぞれ対応するブリッジレセプタクルへ挿入することによって、有効かつ機械的に相互接続される。２つまたはそれより多くの支持要素を並置することによって、十分機械的に安定した基部が取得されてよく、当該基部には少なくとも１つの電子機能モジュールが保持され得る。当該基部は、他の電子機能モジュールと一緒に、取り付け板を使用せずに堅固な機械的結合を確立することができる。このように、本発明に係る支持要素は、複数の異なる電子機能モジュール間の有効な機械的接続および電気的接続を、ほとんど手間取ることなく安全に提供することができる。
【０００９】
配列のある有利な実施形態において、第１支持要素および第２支持要素は、支持要素の自立した配列、特に、自立した装着可能な配列を形成する、および／または、第１支持要素および第２支持要素は、支持レール、特に、トップハットレールにスライド可能に固定され得る。
【００１０】
これは、支持要素の自立した配列、特に、自立した装着可能な配列によって、部品に対する組立体の有効かつ安定した装着が可能になるという利点をもたらす。トップハットレールまたはプロファイルレールを使用することによって、トップハットレールでは、相互接続されている支持要素の有効なスライド装着が可能になる一方で、トップハットレールは部品に固定される。
【００１１】
支持要素配列のある有利な実施形態において、第１支持要素は、ある支持要素幅を有し、第１支持レセプタクルおよび第２支持レセプタクルは、支持要素幅より小さい凹部幅を有する凹部として形成される。
【００１２】
これは、支持要素幅全体にわたって延在し、かつ、凹部として形成される、ブリッジ部が、それぞれ対応する側方ブリッジの有効な受け入れを保証するという利点をもたらす。ここでは、支持要素間の機械的に安定した接続が提供され得る。
【００１３】
支持要素配列の更なる有利な実施形態において、第２支持要素は、上面および下面を有する。ここで、第１側方ブリッジは、第２支持要素の上面に形成される、または、第２側方ブリッジは、第２支持要素の下面に形成される。
【００１４】
これは、第１側方ブリッジおよび第２側方ブリッジを第２支持要素の複数の異なる面に配置することによって、第１支持要素と第２支持要素との有効な機械的装着が保証されるという利点をもたらす。第２支持要素の上面に形成される第１側方ブリッジ、および、第２支持要素の下面に形成される第２側方ブリッジは、第１支持要素の対応する第１ブリッジレセプタクルおよび第２ブリッジレセプタクルに挿入される。この場合、第１側方ブリッジおよび第２側方ブリッジは、両面においてそれぞれ対応する第１ブリッジレセプタクルおよび第２ブリッジレセプタクルに力で作用することによって、第１支持要素を第２支持要素へ有効に固定する。
【００１５】
支持要素配列の更なる有利な実施形態において、更なる支持要素の第１ブリッジレセプタクルに挿入され得る第１側方ブリッジが第１支持要素の上面に形成される一方で、更なる支持要素の第２ブリッジレセプタクルに挿入可能である第２側方ブリッジが第１支持要素の下面に形成される。
【００１６】
これは、第１支持要素の第１側方ブリッジおよび第２側方ブリッジによって、第１支持要素を更なる支持要素へ有効に接続することが可能になるという利点をもたらす。当該更なる支持要素は、複数の更なる支持要素に対する第１支持要素の接続が可能になるよう、第１側方ブリッジおよび第２側方ブリッジを有することもできる。ここで、支持要素配列は、複数の電子機能モジュールを保持するよう十分に延長され得る。
【００１７】
支持要素配列の更なる有利な実施形態では、第３支持要素の第１側方ブリッジを受け入れるための第１ブリッジレセプタクルが第２支持要素の上面に形成される一方で、第３支持要素の第２側方ブリッジを受け入れるための第２ブリッジレセプタクルが第２支持要素の下面に形成される。
【００１８】
これは、第２支持要素の第１ブリッジレセプタクルおよび第２ブリッジレセプタクルによって、第２支持要素を第３支持要素へ有効に接続することが可能になるという利点をもたらす。第３支持要素は、複数の更なる支持要素に対する第３支持要素の接続が可能になるよう、第１ブリッジレセプタクルおよび第２ブリッジレセプタクルを含むこともできる。ここで、支持要素のアレイは、複数の電子機能モジュールを保持するよう十分に拡張することができる。
【００１９】
支持要素配列の更なる有利な実施形態では、第３ブリッジレセプタクルが第１支持要素、第２支持要素、第３支持要素および／または更なる支持要素の下面にそれぞれ形成される一方で、第１支持要素、第２支持要素および／または第３支持要素がそれぞれ、第３側方ブリッジを有する。ここでは、第１支持要素の第３側方ブリッジが更なる支持要素の第３ブリッジレセプタクルに挿入される一方で、第２支持要素の第３側方ブリッジが第１支持要素の第３ブリッジレセプタクルに挿入される、および／または、第３支持要素の第３側方ブリッジが第２支持要素の第３ブリッジレセプタクルに挿入可能である。
【００２０】
これは、第１側方ブリッジ、第２側方ブリッジおよび第３側方ブリッジを対応する第１ブリッジレセプタクル、第２ブリッジレセプタクルおよび第３ブリッジレセプタクルへ導入することによって、２つの側方ブリッジおよび２つのブリッジレセプタクルしか使用しないときのように、支持要素同士のより安定した機械的な固定が保証され得るという利点をもたらす。
【００２１】
支持要素配列の更なる有利な実施形態において、第１側方ブリッジおよび第１ブリッジレセプタクル、第２側方ブリッジおよび第２ブリッジレセプタクル、並びに／または、第３側方ブリッジおよび第３ブリッジレセプタクルは、第１支持要素、第２支持要素および／または第３支持要素に並置される。
【００２２】
これは、それぞれ対応する側方ブリッジ、および、それぞれ対応するブリッジレセプタクルの並置によって、それぞれ対応する側方ブリッジおよびブリッジレセプタクルが同じ高さで異なる支持要素に配置されることが保証されるという利点をもたらす。結果として、側方ブリッジは、それぞれ対応する隣接支持要素の対応するブリッジレセプタクルへ有効に挿入され得る。
【００２３】
支持要素配列の更なる有利な実施形態において、第１側方ブリッジ、第２側方ブリッジおよび／または第３側方ブリッジは、それぞれ対応する第１ブリッジレセプタクル、第２ブリッジレセプタクルおよび／または第３ブリッジレセプタクルにおけるラッチ接続によってそれぞれ固定され得る。
【００２４】
これは、ラッチ接続によって支持要素同士の有効な装着が保証され、かつ、ラッチ接続を不注意に解除できないという利点をもたらす。
【００２５】
支持要素配列の更なる有利な実施形態において、第１側方ブリッジ、第２側方ブリッジおよび／または第３側方ブリッジがそれぞれ、固定要素を受け入れるための固定用開口を有する一方で、第１ブリッジレセプタクル、第２ブリッジレセプタクルまたは第３ブリッジレセプタクルがそれぞれ、固定要素を受け入れるための更なる固定用開口を有する。
【００２６】
これは、固定具をこれらの取り付け穴および他の取り付け穴に受け入れることによって、支持要素配列の安定した装着が可能になるという利点をもたらす。相互接続されている支持要素において、それぞれ対応する取り付け穴は、対応する取り付け要素をそれぞれ対応する取り付け穴または更なる取り付け穴へ有効に受け入れることができるよう、対応する更なる取り付け穴と同じ高さにある。
【００２７】
支持要素配列の更なる有利な実施形態において、取り付け要素は、第１支持要素、第２支持要素、第３支持要素および／または更なる支持要素を相互接続するためのネジを含む、または、電子機能モジュールを第１支持要素、第２支持要素、第３支持要素および／または更なる支持要素に固定するための電子機能モジュールのボルトを含む。
【００２８】
これは、様々な支持要素のネジ固定またはボルト固定によって、対応する指示要素に対する電子機能モジュールの装着が可能になるという利点をもたらす。支持要素同士を装着するために複数の異なる取り付け穴および様々な他の取り付け穴を使用することもできる、または、電子機能モジュールを対応する指示要素に装着することができる。
【００２９】
支持要素配列の更なる有利な実施形態では、第１電気ケーブルを受け入れるための第１ケーブルレセプタクル、および／または、第２電気ケーブルを受け入れるための第２ケーブルレセプタクルが、第１支持要素、第２支持要素、第３支持要素および／または更なる支持要素の上面に形成される。
【００３０】
これは、支持要素配列において複数の電子機能モジュール間の有効な電気的接続が保証されることを、それぞれ対応する電気ケーブルを受け入れるためのケーブルレセプタクルが保証するという利点をもたらす。
【００３１】
本発明の第２の態様によれば、この目的は、第１態様に係る少なくとも１つの第１支持要素および第２支持要素の組立体と、当該少なくとも１つの第１支持要素および第２支持要素の上面にある第１ケーブルレセプタクルに受け入れられる第１電気ケーブルと、当該少なくとも１つの第１支持要素および第２支持要素の上面にある第２ケーブルレセプタクルに受け入れられる第２電気ケーブルと、第１支持要素および第２支持要素に置くための少なくとも１つの第１電子機能モジュールとを備える部品組立システムによって実現される。ここで、第１電子機能モジュールは、第１電気ケーブルおよび第２電気ケーブルに電気伝導的に接続される。
【００３２】
これは、部品組立システムによって、幾つかの電子機能モジュールをコンパクトで設置し易い特別な配列にすることが可能になるという利点をもたらす。ここで、支持要素の有利な接続は、１つまたは複数の電子機能モジュールを置くための有効な基部が確保されることを保証する。電子機能モジュールはこのように、有効かつ機械的に固定され、電気ケーブルよって電気的にも相互接続される。
【００３３】
部品組立システムのある有利な実施形態では、第１電子機能モジュールを第１支持要素および第２支持要素に固定すべく、第１電子機能モジュールの下面に固定要素がある。
【００３４】
これは、固定要素、特にボルトによって、第１支持要素および第２支持要素に対する第１電子機能モジュールの有効な位置決めおよび固定が保証されるという利点をもたらす。
【００３５】
部品組立システムのある有利な実施形態において、第１電気ケーブルおよび第２電気ケーブルはそれぞれ、絶縁層と少なくとも１つの導電体とを含む。ここで、第１電子機能モジュールは、それぞれ対応する絶縁層を貫通し、かつ、それぞれ対応する導電体と電気的に接触するための、導電性マンドレル配列を含む。
【００３６】
これは、導電性マンドレル組立体を用いてそれぞれ対応する絶縁層を貫通することにより第１電子機能モジュールを第１電気ケーブルおよび第２電気ケーブルに置くことで、第１電気ケーブルおよび第２電気ケーブルと第１電子機能モジュールとが有効に導電接続されるという利点をもたらす。
【図面の簡単な説明】
【００３７】
図面には本発明の実施形態が示されている。これらの実施形態については、以下でより詳しく説明することにする。
【００３８】
【図１】一実施形態に係る支持要素配列の概略図を示している。
【００３９】
【図２】第２実施形態に係る、電気ケーブルを有する支持要素配列の概略図を示している。
【００４０】
【図３】第３実施形態に係る、支持要素配列と、電気ケーブルと、電子機能モジュールとを有する電子部品組立システムの概略図を示している。
【００４１】
【図４】第３実施形態に係る電子部品組立システムの概略図を示している。
【発明を実施するための形態】
【００４２】
図１は、一実施形態に係る支持要素配列の概略図を示している。支持要素配列１００は、第１支持要素１００−１、第２支持要素１００−２および第３支持要素１００−３を含む。
【００４３】
第１支持要素１００−１、第２支持要素１００−２および第３支持要素１００−３は、自立した配列、特に自立した装着可能な配列を形成することができる、または、取り付けレールまたはプロファイルレールにスライド可能に取り付けられ得る。
【００４４】
第１支持要素１００−１、第２支持要素１００−２および第３支持要素１００−３は、電子機能モジュールを保持するよう設計され、当該電子機能モジュールは特に、電子自動化デバイスを含む。第１支持要素１００−１、第２支持要素１００−２および第３支持要素１００−３を任意の数の他の支持要素１００−ｘに接続して、複数の異なる電子機能モジュールのモジュラー構造を実現する支持要素組立体を形成することができる。
【００４５】
第１支持要素１００−１、第２支持要素１００−２および第３支持要素１００−３は、それぞれが上面１０１−１、１０１−２、１０１−３を有し、それぞれが下面１０３−１、１０３−２、１０３−３を有する。
【００４６】
第１支持要素１００−１、第２支持要素１００−２、第３支持要素１００−３の上面１０１−１、１０１−２、１０１−３には、第１ブリッジレセプタクル１０５−１、１０５−２、１０５−３がそれぞれ形成される。第１支持要素１００−１、第２支持要素１００−２、第３支持要素１００−３の下面１０３−１、１０３−２、１０３−３には、第２ブリッジレセプタクル１０７−１、１０７−２、１０７−３がそれぞれ形成される。更に、第１支持要素１００−１、第２支持要素１００−２、第３支持要素１００−３の下面１０３−１、１０３−２、１０３−３には、第３ブリッジレセプタクル１０９−１、１０９−２、１０９−３がそれぞれ形成される。
【００４７】
第１支持要素１００−１、第２支持要素１００−２、第３支持要素１００−３のそれぞれ対応する下面１０３−１、１０３−２、１０３−３には、第２ブリッジレセプタクル１０７−１、１０７−２、１０７−３および第３ブリッジレセプタクル１０９−１、１０９−２、１０９−３が形成されているが、図１にはこれらのブリッジレセプタクルがほんの概略的に示されている。
【００４８】
第１支持要素１００−１、第２支持要素１００−２および第３支持要素１００−３の各々のそれぞれ対応する上面１０１−１、１０１−２、１０１−３には、第１側方ブリッジ１１１−１、１１１−２、１１１−３がある。第２支持要素１００−２の第１側方ブリッジ１１１−２は、第１支持要素１００−１の第１ブリッジレセプタクル１０５−１へ横方向に挿入可能である。第３支持要素１００−３の第１側方ブリッジ１１１−３は、第２支持要素１００−２の第１ブリッジレセプタクル１０５−２へ横方向に挿入可能である。第１支持要素１００−１の第１側方ブリッジ１１１−１は、更なる支持要素１００−ｘの第１ブリッジレセプタクル１０５−ｘへ横方向に挿入可能であるが、図１には示されていない。
【００４９】
第１支持要素１００−１、第２支持要素１００−２および第３支持要素１００−３は、それぞれが第２側方ブリッジ１１３−１、１１３−２、１１３−３を有し、それぞれが第３側方ブリッジ１１５−１、１１５−２、１１５−３を有する。
【００５０】
第２支持要素１００−２の第２側方ブリッジ１１３−２は、第１支持要素１００−１の第２ブリッジレセプタクル１０７−１へ横方向に挿入され得る。第３支持要素１００−３の第２側方ブリッジ１１３−３は、第２支持要素１００−２の第２ブリッジレセプタクル１０７−２へ横方向に挿入され得る。第１支持要素１００−１の第２側方ブリッジ１１３−１は、更なる支持要素１００−ｘの第２ブリッジレセプタクル１０７−ｘへ横方向に挿入され得るが、図１には示されていない。
【００５１】
第２支持要素１００−２の第３側方ブリッジ１１５−２は、第１支持要素１００−１の第３ブリッジレセプタクル１０９−１へ横方向に挿入され得る。第３支持要素１００−３の第３側方ブリッジ１１５−３は、第２支持要素１００−２の第３ブリッジレセプタクル１０９−２へ横方向に挿入され得る。第１支持要素１００−１の第３側方ブリッジ１１３−１は、更なる支持要素１００−ｘの第３ブリッジレセプタクル１０９−ｘへ横方向に挿入され得るが、図１には示されていない。
【００５２】
それぞれ対応する側方ブリッジ１１１−１、１１１−２、１１１−３、１１３−１、１１３−２、１１３−３、１１５−１、１１５−２、１１５−３を対応するブリッジレセプタクル１０５−１、１０５−２、１０５−３、１０５−ｘ、１０７−１、１０７−２、１０７−３、１０７−ｘ、１０９−１、１０９−２、１０９−３、１０９−ｘへ挿入することによって、第１支持要素１００−１、第２支持要素１００−２、第３支持要素１００−３および更なる支持要素１００−ｘの有効な装着、ひいては、安定した横方向の固定が同時に保証され得る。これによって、支持要素１００−１、１００−２、１００−３、１００−ｘは、自立した、または、プロファイルレールにスライド可能に取り付けられる、有効な支持要素組立体を形成することができる。それぞれ対応するブリッジレセプタクル１０５−１、１０５−２、１０５−３、１０５−ｘ、１０７−１、１０７−２、１０７−３、１０７−ｘ、１０９−１、１０９−２、１０９−３、１０９−ｘにおけるそれぞれ対応する側方ブリッジ１１１−１、１１１−２、１１１−３、１１３−１、１１３−２、１１３−３、１１５−１、１１５−２、１１５−３の装着は、スナップ接続によって固定され得る。第１支持要素１００−１および第３支持要素１００−３はどちらもそれぞれ、支持要素組立体を形成するための要件に対応する、任意の数の更なる支持要素１００−ｘ、または、更なる支持要素へ横方向に接続され得ることが強調される。
【００５３】
図１に示されている例示的な実施形態において、第１支持要素１００−１、第２支持要素１００−２、第３支持要素１００−３および更なる支持要素１００−ｘはそれぞれ、第１側方ブリッジ１１１−１、１１１−２、１１１−３、第２側方ブリッジ１１３−１、１１３−２、１１３−３および第３側方ブリッジ１１５−１、１１５−２、１１５−３を有する。とはいえ、第１支持要素１００−１、第２支持要素１００−２、第３支持要素１００−３または更なる支持要素１００−ｘが２つの側方ブリッジおよび２つのブリッジレセプタクルしか有さなくてもそれで十分とすることができる。代替的に、第１支持要素１００−１、第２支持要素１００−２、第３支持要素１００−３または更なる支持要素１００−ｘが４つまたはそれより多くの側方ブリッジおよび４つまたはそれより多くのブリッジレセプタクルを有することを可能とすることもできる。
【００５４】
図１に示されている通り、第１側方ブリッジ１１１−１、１１１−２、１１１−３、および、それぞれ対応する第１ブリッジレセプタクル１０５−１、１０５−２、１０５−３と、第２側方ブリッジ１１３−１、１１３−２、１１３−３、および、それぞれ対応する第２ブリッジレセプタクル１０７−１、１０７−２、１０７−３と、第３側方ブリッジ１１５−１、１１５−２、１１５−３、および、それぞれ対応する第３ブリッジレセプタクル１０９−１、１０９−２、１０９−３とは、それぞれ対応する第１支持要素１００−１、第２支持要素１００−２、第３支持要素１００−３に並置される。
【００５５】
第１支持要素１００−１、第２支持要素１００−２および第３支持要素１００−３はそれぞれ、支持要素幅１１７を有する。第１ブリッジレセプタクル１０５−１、１０５−２、１０５−３、第２ブリッジレセプタクル１０７−１、１０７−２、１０７−３および第３ブリッジレセプタクル１０９−１、１０９−２、１０９−３は、それぞれが凹部幅１１９を有する凹部として形成され、凹部幅１１９は、支持要素幅１１７より小さい。
【００５６】
第１側方ブリッジ１１１−１、１１１−２、１１１−３がそれぞれ、取り付け穴１２１を有する一方で、第１ブリッジレセプタクル１０５−１、１０５−２、１０５−３はそれぞれ、更なる取り付け穴１２３を有する。第１側方ブリッジ１１１−１、１１１−２、１１１−３は、隆起面を有し、取り付け穴１２１は、第１側方ブリッジ１１１−１、１１１−２、１１１−３を通過する。第１側方ブリッジ１１１−１、１１１−２、１１１−３が、それぞれ対応する第１ブリッジレセプタクル１０５−１、１０５−２、１０５−３に挿入されるとき、取り付け穴１２１および他の取り付け穴１２３が上下に位置決めされるので、第１支持要素１００−１、第２支持要素１００−２および第３支持要素１００−３を同時に固定するための固定具の、それぞれ対応する受け入れが可能になる。固定要素はネジを含むことができ、取り付け穴１２１および更なる取り付け穴１２３は、有効かつ安定した固定を保証すべく、対応するネジ山を含むことができる。電子機能モジュールのそれぞれ対応する下面には、固定具としてボルトが装着され得る。ここでは、ボルトを取り付け穴１２１および更なる取り付け穴１２３に固定して、電子機能モジュールを第１支持要素１００−１、第２支持要素１００−２および第３支持要素１００−３に固定することができる。
【００５７】
図１には示されていないが、取り付け穴１２１および更なる取り付け穴１２３は、代替的または追加的に、第２側方ブリッジ１１３−１、１１３−２、１１３−３、１１３−ｘおよび第２ブリッジレセプタクル１０７−１、１０７−２、１０７−３、１０７−ｘに、並びに／または、第３側方ブリッジ１１５−１、１１５−２、１１５−３、１１５−ｘおよび第３ブリッジレセプタクル１０９−１、１０９−２、１０９−３、１０１−ｘ上に装着され得る。
【００５８】
第１支持要素１００−１、第２支持要素１００−２および第３支持要素１００−３は、各々が第１電気ケーブルを受け入れるための第１ケーブルレセプタクル１２５−１、１２５−２、１２５−３を有し、各々が第２電気ケーブルを受け入れるための第２ケーブルレセプタクル１２７−１、１２７−２、１２７−３を有する。第１支持要素１００−１、第２支持要素１００−２、第３支持要素１００−３が同時に接続されているとき、第１ケーブルレセプタクル１２５−１、１２５−２、１２５−３および第２ケーブルレセプタクル１２７−１、１２７−２、１２７−３は、第１支持要素１００−１、第２支持要素１００−２および第３支持要素１００−３の上面１０１−１、１０１−２および１０１−３に第１電気ケーブルおよび第２電気ケーブルの連続レセプタクルを形成する。
【００５９】
図１に示されている構成によって、第１支持要素１００−１、第２支持要素１００−２、第３支持要素１００−３および更なる支持要素１００−ｘは有利にも、モジュラー組立システムにおいて使用され得る。第１支持要素１００−１、第２支持要素１００−２、第３支持要素１００−３および更なる支持要素１００−ｘを並置することで、１つまたは複数の電子機能モジュールが置かれ得る安定した基部を確保すると同時に、単一デバイスのように取り付けられ得る堅固な機械的接続の形成を可能にすることができる。個々の電子機能モジュールを接続するために第１電気ケーブルおよび第２電気ケーブルが使用され、これらの電気ケーブルはそれぞれ、特にリボンケーブルとして設計される。このように、保護の程度に対する要件が保証される一方で、電子機能モジュールの電気供給および個々の電子機能モジュール間の有効な通信が保証される。モジュラーシステムを複数の異なる通信システムに統合するための、システムに統合されているゲートウェイによって、様々な用途でこれを使用することが可能になる。
【００６０】
図２は、第２実施形態に係る、電気ケーブルを有する支持要素配列の概略図を示している。支持要素配列１００は、第１支持要素１００−１、第２支持要素１００−２、第３支持要素１００−３および更なる支持要素１００−ｘを含み、これらの支持要素は、側方ブリッジ１１１−１、１１１−２、１１１−３、１１１−ｘ、１１３−１、１１３−２、１１３−３、１１３−ｘ、１１５−１、１１５−２、１１５−３、１１５−ｘを対応するブリッジレセプタクル１０５−１、１０５−２、１０５−３、１０５−ｘ、１０７−１、１０７−２、１０７−３、１０７−ｘ、１０９−１、１０９−２、１０９−３、１０９−ｘに挿入することによって相互接続される。第１支持要素１００−１、第２支持要素１００−２、第３支持要素１００−３および更なる支持要素１００−ｘの詳細な説明については、図１に記載の第１実施形態を参照されたい。
【００６１】
図２には、第１支持要素１００−１、第２支持要素１００−２、第３支持要素１００−３および更なる支持要素１００−ｘの第１ケーブルレセプタクル１２５−１、１２５−２、１２５−３および１２５−ｘが示されていない。なぜなら、第１電気ケーブル１２９および第２電気ケーブル１３１がこれら各々に追加されているからである。第１電気ケーブル１２９および第２電気ケーブル１３１によって、複数の電子機能部品間の電気的接続が可能になるが、図２には示されていない。
【００６２】
図３は、第３実施形態に係る、支持要素配列と、電気ケーブルと、電子機能モジュールとを有する電子部品組立システムの概略図を示している。電子部品組立システム２００は、側方ブリッジ１１１−１、１１１−２、１１１−３、１１１−ｘ、１１３−１、１１３−２、１１３−３、１１３−ｘ、１１５−１、１１５−２、１１５−３、１１５−ｘを対応するブリッジレセプタクル１０５−１、１０５−２、１０５−３、１０５−ｘ、１０７−１、１０７−２、１０７−３、１０７−ｘ、１０９−１、１０９−２、１０９−３、１０９−ｘに挿入することによって相互接続されている第１支持要素１００−１、第２支持要素１００−２、第３支持要素１００−３および他の支持要素１００−ｘを含む。第１支持要素１００−１、第２支持要素１００−２、第３支持要素１００−３および更なる支持要素１００−ｘの詳細な説明については、図１に記載の第１実施形態を参照されたい。図３には、第１支持要素１００−１、第２支持要素１００−２、第３支持要素１００−３および更なる支持要素１００−ｘのうち幾つかの要素が示されていない。
【００６３】
支持要素１００−１、１００−２、１００−３、１００−ｘに加えて、電子部品組立システム２００は、第１電気ケーブル１２９および第２電気ケーブル１３１と、第１電子機能モジュール１３３−１、第２電子機能モジュール１３３−２および更なる電子機能モジュール１３３−ｘとを含む。ここで、第１電子機能モジュール１３３−１は、支持要素幅１１７の約２倍の幅があり、第１支持要素１００−１および第２支持要素１００−２に置かれる。図３に示す絵には、第２電子機能モジュール１３３−２が半分だけ示されており、第３支持要素１００−３に取り付けられている。図３に示す絵には、更なる電子機能モジュール１３３−ｘが半分だけ示されており、更なる支持要素１００−ｘに取り付けられている。それぞれ対応する電子機能モジュール１３３−１、１３３−２、１３３−ｘを対応する指示要素１００−１、１００−２、１００−３、１００−ｘに固定すべく、それぞれ対応する電子機能モジュール１３３−１、１３３−２、１３３−ｘの下面には、固定要素１３５がある（図３には示されていない）。
【００６４】
支持要素１００−１、１００−２、１００−３、１００−ｘと電子機能モジュール１３３−１、１３３−２、１３３−ｘとの間には、第１電気ケーブル１２９および第２電気ケーブル１３１が配置され、これらの電気ケーブルはそれぞれ、絶縁層を有し、導電体を含む。それぞれ対応する電子機能モジュール１３３−１、１３３−２、１３３−ｘは、それぞれ対応する絶縁層を貫通し、かつ、それぞれ対応する導電体トラックと電気的に接触するための、導電性マンドレル配列を含む。結果として、それぞれ対応する電子機能モジュール１３３−１、１３３−２、１３３−ｘは、第１電気ケーブル１２９および第２電気ケーブル１３１へ電気伝導的に接続される。
【００６５】
それぞれ対応する電子機能モジュール１３３−１、１３３−２、１３３−ｘは、電子機能モジュール１３３−１、１３３−２、１３３−ｘを、例えばケーブル接続で接続されるデバイスに接続するための複数のプラグ接続１３７を有する。様々なプラグ接続１３７をマーク付けすべく、それぞれ対応する電子機能モジュール１３３−１、１３３−２、１３３−ｘは、多数のラベル付け要素１３９も有する。
【００６６】
図４は、第３実施形態に係る電子部品組立システムの概略図を示している。図４では、第１電気ケーブル１２９および第２電気ケーブル１３１が示されておらず、それぞれ対応する電子機能モジュール１３３−１、１３３−２、１３３−ｘが、ほんの概略的に輪郭で示されている。第１支持要素１００−１、第２支持要素１００−２、第３支持要素１００−３および更なる支持要素１００−ｘの詳細な説明については、図１に記載の第１実施形態を参照されたい。図４には、第１支持要素１００−１、第２支持要素１００−２、第３支持要素１００−３および更なる支持要素１００−ｘのうち幾つかの要素が示されていない。
【００６７】
図４は、第１支持要素１００−１、第２支持要素１００−２、第３支持要素１００−３および更なる支持要素１００−ｘの相互接続を示している。支持要素１００−１、１００−２、１００−３、１００−ｘが接続されているとき、例えばネジ１４１などの固定具１３５が、支持要素１００−１、１００−２、１００−３、１００−ｘを相互接続すべく、それぞれ対応する側方ブリッジ１１１−１、１１１−２、１１１−３、１１１−ｘ、１１３−１、１１３−２、１１３−３、１１３−ｘ、１１５−１、１１５−２、１１５−３、１１５−ｘのそれぞれ対応する取り付け穴１２１を通過し、それぞれ対応するブリッジレセプタクル１０５−１、１０５−２、１０５−３、１０５ｘ、１０７−１、１０７−２、１０７−３、１０７−ｘ、１０９−１、１０９−２、１０９−３、１０９−ｘのそれぞれ対応する更なる取り付け穴１２３を通過する。このように、固定具１３５によって、支持要素１００−１、１００−２、１００−３、１００−ｘ間の有効な機械的接続が可能になる。
【００６８】
図４に示されている通り、ネジ１４１の代わりに、固定要素１３５が第１電子機能モジュール１３３−１のボルト１４３を含むこともできる。
【００６９】
ボルト１４３は、第１電子機能モジュール１３３−１の下面に形成され、第２支持要素１００−２に対する第１電子機能モジュール１３３−１の装着を可能にする。図４には、第２電子機能モジュール１３３−２および更なる電子機能モジュール１３３−ｘの下面に配置されるボルト１４３が示されていない。
【符号の説明】
【００７０】
１００：支持要素配列
１００−１：第１支持要素
１００−２：第２支持要素
１００−３：第３支持要素
１００−ｘ：更なる支持要素
１０１−１：第１支持要素の上面
１０１−２：第２支持要素の上面
１０１−３：第３支持要素の上面
１０１−ｘ：他の支持要素の上面
１０３−１：第１支持要素の下面
１０３−２：第２支持要素の下面
１０３−３：第３支持要素の下面
１０３−ｘ：他の支持要素の下面
１０５−１：第１支持要素の第１ブリッジレセプタクル
１０５−２：第２支持要素の第１ブリッジレセプタクル
１０５−３：第３支持要素の第１ブリッジレセプタクル
１０５−ｘ：別の支持要素の第１ブリッジレセプタクル
１０７−１：第１支持要素の第２ブリッジレセプタクル
１０７−２：第２支持要素の第２ブリッジレセプタクル
１０７−３：第３支持要素の第２ブリッジレセプタクル
１０７−ｘ：更なる支持要素の第２ブリッジレセプタクル
１０９−１：第１支持要素の第３ブリッジレセプタクル
１０９−２：第２支持要素の第３ブリッジレセプタクル
１０９−３：第３支持要素の第３ブリッジレセプタクル
１０９−ｘ：更なる支持要素の第３ブリッジレセプタクル
１１１−１：第１支持要素の第１側方ブリッジ
１１１−２：第２支持要素の第１側方ブリッジ
１１１−３：第３支持要素の第１側方ブリッジ
１１１−ｘ：他の支持要素の第１側方ブリッジ
１１３−１：第１支持要素の第２側方ブリッジ
１１３−２：第２支持要素の第２側方ブリッジ
１１３−３：第３支持要素の第２側方ブリッジ
１１３−ｘ：更なる支持要素の第２側方ブリッジ
１１５−１：第１支持要素の第３側方ブリッジ
１１５−２：第２支持要素の第３側方ブリッジ
１１５−３：第３支持要素の第３側方ブリッジ
１１５−ｘ：他の支持要素の第３側方ブリッジ
１１７：支持要素幅
１１９：凹部幅
１２１：取り付け穴
１２３：更なる取り付け穴
１２５−１：第１支持要素の第１ケーブルレセプタクル
１２５−２：第２支持要素の第１ケーブルレセプタクル
１２５−３：第３支持要素の第１ケーブルレセプタクル
１２５−ｘ：他の支持要素の第１ケーブルレセプタクル
１２７−１：第１支持要素の第２ケーブルレセプタクル
１２７−２：第２支持要素の第２ケーブルレセプタクル
１２７−３：第３支持要素の第２ケーブルレセプタクル
１２７−ｘ：他の支持要素の第２ケーブルレセプタクル
１２９：第１電気ケーブル
１３１：第２電気ケーブル
１３３−１：第１電子機能モジュール
１３３−２：第２電子機能モジュール
１３３−ｘ：更なる電子機能モジュール
１３５：固定要素
１３７：プラグ接続
１３９：ラベル付け要素
１４１：ネジ
１４３：ボルト
２００：部品組立システム
【図１】
0006806300.tif 000002
【図２】
0006806300.tif 000003
【図３】
0006806300.tif 000004
【図４】
0006806300.tif 000005